(57)【要約】【課題】スクリーン幕と建物の床部との間に隙間が形成されても、その隙間を遮蔽部材によって遮蔽し、建物の内部空間を火災側と非火災側とに区画し続ける。【解決手段】建物の天井部に繰り出し巻き取り可能に設けられ、繰り出し時に下端が建物の床部５２に当接可能なスクリーン幕６と、スクリーン幕６の下端部に設けられる錘体１０と、建物の天井部と床部５２との間に設けられて、スクリーン幕６を繰り出し巻き取り可能に案内する案内部材と、スクリーン幕６の下端が建物の床部５２に当接した状態に固定するストッパー機構とを備える。スクリーン幕６の下端部に遮蔽部材３０を、スクリーン幕６から独立してスクリーン幕６の繰り出し巻き取り方向に移動可能、かつ自重により下端が床部５２に当接可能に設ける。錘体１０と床部５２との間に隙間が形成されても、遮蔽部材３０によってその隙間を遮蔽し、建物の内部空間を火災側５３と非火災側５４とに区画し続ける。【選択図】図５
2008228901.tif 000002
【特許請求の範囲】
【請求項１】
建物の天井部に繰り出し巻き取り可能に設けられ、繰り出し時に下端が建物の床部に当接可能なスクリーン幕と、該スクリーン幕の下端部に設けられる錘体と、建物の天井部と床部との間に設けられて、前記スクリーン幕を繰り出し巻き取り可能に案内する案内部材と、前記スクリーン幕の下端が建物の床部に当接した状態に固定するストッパー機構とを備え、前記スクリーン幕を天井部から繰り出してその下端を建物の床部に当接させることにより、建物の内部空間が火災側と非火災側とに区画される防火防煙区画用スクリーンシャッターであって、
前記スクリーン幕の下端部に遮蔽部材を設けて、該遮蔽部材が前記スクリーン幕から独立して前記スクリーン幕の繰り出し巻き取り方向に移動可能、かつ自重により該遮蔽部材の下端が前記床部に当接可能に構成したことを特徴とする防火防煙区画用スクリーンシャッター。
【請求項２】
前記遮蔽部材を、前記スクリーン幕の全幅に亘る長さに形成したことを特徴とする請求項１に記載の防火防煙区画用スクリーンシャッター。
【請求項３】
一対の前記遮蔽部材を、前記スクリーン幕の下端部の両側に、該スクリーン幕と間隙をおいて設けたことを特徴とする請求項１又は２に記載の防火防煙区画用スクリーンシャッター。
【請求項４】
前記錘体は、前記スクリーン幕の下端部に設けられる芯部材と、前記スクリーン幕の下端部の両側面に前記芯部材を挟んで設けられる座板部材とからなり、該座板部材と前記スクリーン幕との間に形成される空間内に前記遮蔽部材が配置されていることを特徴とする請求項１から３の何れかに記載の防火防煙区画用スクリーンシャッター。
【請求項５】
前記各座板部材に、前記遮蔽部材を直立姿勢に保つ案内部材を設けたことを特徴とする請求項４に記載の防火防煙区画用スクリーンシャッター。
【発明の詳細な説明】
【技術分野】
【０００１】
本発明は、火災の発生時に建物の内部空間を火災側と非火災側とに区画して、火災側から非火災側への延焼や煙の拡散を防止する防火防煙区画用スクリーンシャッターに関する。
【背景技術】
【０００２】
火災の発生時に建物の内部空間を火災側と非火災側とに区画して、火災側から非火災側への延焼や煙の拡散を防止する防火防煙区画用スクリーンシャッターの一例として、建物の天井部に繰り出し巻き取り可能に設けられるスクリーン幕と、スクリーン幕の下端部に設けられる錘体と、建物の天井部と床部との間に設けられて、スクリーン幕を繰り出し巻き取り可能に案内するガイドレールとを備えた防火防煙区画用スクリーンシャッターが知られている。
【０００３】
このような構成の防火防煙区画用スクリーンシャッターにあっては、火災の発生時に天井部からスクリーン幕を繰り出し、ガイドレールに沿って下降させて下端を建物の床部に当接させ、建物の内部空間を火災側と非火災側とに区画することにより、火災側から非火災側への延焼や煙の拡散を防止することができる。
【０００４】
この場合、錘体は、スクリーン幕の全幅に亘る長さの鋼製の板状の芯部材と角筒状の座板部材とからなり、芯部材は、スクリーン幕の下端部を折り返して袋状に形成した部分に挿着され、座板部材は、スクリーン幕の下端部の両側に芯部材を挟んだ状態で設けられ、芯部材と座板部材とは、それらの間に挿通させたボルト、ナットにより一体に固定されている。
【０００５】
また、スクリーン幕の下端部両側とそれに対応するガイドレールの下端部との間には、ストッパー機構が設けられ、このストッパー機構によってスクリーン幕の下端が建物の床部に当接した状態に固定されており、火災時の熱風によってスクリーン幕が煽られた場合に、スクリーン幕の下端が建物の床部から離れるのを防止し、建物の内部空間を火災側と非火災側とに区画し続けている（例えば、特許文献１、２参照。）。
【特許文献１】特開２００３−３１０７７７号公報
【特許文献２】特開２００４−３２９７７７号公報
【発明の開示】
【発明が解決しようとする課題】
【０００６】
ところで、上記のような構成の防火防煙区画用スクリーンシャッターにあっては、錘体の鋼製の芯部材及び座板部材が火災時の燃焼熱によって熱膨張した場合に、スクリーン幕の下端部がストッパー機構によってガイドレールに固定されているため、芯部材及び座板部材はガイドレールの方向への変形が抑制されて上方向に湾曲変形することになり、この湾曲変形によってスクリーン幕と建物の床部との間に隙間が形成される。さらに、燃焼により発生する熱風によってスクリーン幕が煽られることにより、スクリーン幕に上方向への張力が作用し、この張力によってもスクリーン幕の下端と建物の床部との間に隙間が形成される。このような隙間は、芯部材及び座部材の長さ、すなわち建物の内部空間の開口幅にほぼ比例して増大するため、隙間を完全になくすためには、建物の内部空間の開口幅の大きさを制限する必要がある。
【０００７】
本発明は、上記のような従来の問題に鑑みなされたものであって、火災時の燃焼熱によって錘体を構成する芯部材及び座部材が熱膨張しても、建物の内部空間を火災側と非火災側とに区画し続けることができる防火防煙区画スクリーンシャッターを提供することを目的とする。
【課題を解決するための手段】
【０００８】
上記のような課題を解決するために、本発明は、以下のような手段を採用している。
すなわち、請求項１に係る発明は、建物の天井部に繰り出し巻き取り可能に設けられ、繰り出し時に下端が建物の床部に当接可能なスクリーン幕と、該スクリーン幕の下端部に設けられる錘体と、建物の天井部と床部との間に設けられて、前記スクリーン幕を繰り出し巻き取り可能に案内する案内部材と、前記スクリーン幕の下端が建物の床部に当接した状態に固定するストッパー機構とを備え、前記スクリーン幕を天井部から繰り出してその下端を建物の床部に当接させることにより、建物の内部空間が火災側と非火災側とに区画される防火防煙区画用スクリーンシャッターであって、前記スクリーン幕の下端部に遮蔽部材を設けて、該遮蔽部材が前記スクリーン幕から独立して前記スクリーン幕の繰り出し巻き取り方向に移動可能、かつ自重により該遮蔽部材の下端が前記床部に当接可能に構成したことを特徴とする。
【０００９】
本発明による防火防煙区画用スクリーンシャッターによれば、スクリーン幕を天井部から繰り出してその下端を建物の床部に当接させ、ストッパー機構によりその状態に固定することにより、建物の内部空間がスクリーン幕を介して火災側と非火災側とに区画される。この場合、スクリーン幕から独立して遮蔽部材が移動し、遮蔽部材の下端が自重によって床部に当接することになるので、火災時の燃焼熱によって錘体が熱膨張したり、熱風によってスクリーン幕が煽られたりして、スクリーン幕と床部との間に隙間が形成されても、その隙間を遮蔽部材によって遮蔽することができることになり、建物の内部空間を火災側と非火災側とに区画し続けることができる。
【００１０】
請求項２に係る発明は、請求項１に記載の防火防煙区画用スクリーンシャッターであって、前記遮蔽部材を、前記スクリーン幕の全幅に亘る長さに形成したことを特徴とする。
【００１１】
本発明による防火防煙区画用スクリーンシャッターによれば、スクリーン幕と建物の床部との間に形成される隙間がスクリーン幕の全幅、すなわち建物の内部空間の全開口幅に亘るものであっても、その隙間を遮蔽部材によって遮蔽することができるので、建物の内部空間を火災側と非火災側とに区画し続けることができる。
【００１２】
請求項３に係る発明は、請求項１又は２に記載の防火防煙区画用スクリーンであって、一対の前記遮蔽部材を、前記スクリーン幕の下端部の両側に、該スクリーン幕と間隙をおいて設けたことを特徴とする。
【００１３】
本発明による防火防煙区画用スクリーンによれば、一方の遮蔽部材の下端が建物の床部に当接することにより、一方の遮蔽部材によって建物の内部空間の火災側又は非火災側が遮蔽され、他方の遮蔽部材の下端が建物の床部に当接することにより、他方の遮蔽部材によって建物の内部空間の非火災側又は火災側が遮蔽される。この場合、各遮蔽部材とスクリーン幕との間にはそれぞれ間隙が介在しているので、この間隙によって断熱効果が得られることになり、各遮蔽部材が火災時の燃焼熱や熱風によって変形するのを防止でき、各遮蔽部材による遮蔽機能を維持することができる。
【００１４】
請求項４に係る発明は、請求項１から３の何れかに記載の防火防煙区画用スクリーンシャッターであって、前記錘体は、前記スクリーン幕の下端部に設けられる芯部材と、前記スクリーン幕の下端部の両側面に前記芯部材を挟んで設けられる座板部材とからなり、該座板部材と前記スクリーン幕との間に形成される空間内に前記遮蔽部材が配置されていることを特徴とする。
【００１５】
本発明による防火防煙区画用スクリーンシャッターによれば、錘体を構成する芯部材及び座板部材が火災時の燃焼熱等によって変形して、スクリーン幕と床部との間に隙間が形成されても、その隙間を座板部材とスクリーン幕との間に形成される空間内に配置されている遮蔽部材によって遮蔽することができる。
【００１６】
請求項５に係る発明は、請求項４に記載の防火防煙区画用スクリーンシャッターであって、前記各座板部材に、前記遮蔽部材を直立姿勢に保つ案内部材を設けたことを特徴とする。
【００１７】
本発明による防火防煙区画用スクリーンシャッターによれば、各座板部材に設けた案内部材によって各遮蔽部材が直立姿勢に保たれることになるので、各遮蔽部材の下端を確実に建物の床部に当接させることができ、スクリーン幕の下端と建物の床部との間に形成される隙間を各遮蔽部材によって確実に遮蔽することができる。
【発明の効果】
【００１８】
以上、説明したように、本発明による防火防煙区画用スクリーンシャッターによれば、火災時の燃焼熱によって錘体が熱膨張することによってスクリーン幕の下端と建物の床部との間に隙間が形成されても、また、火災時の熱風によってスクリーン幕が煽られてスクリーン幕と建物の床部との間に隙間が形成されても、スクリーン幕から独立して遮蔽部材が移動し、遮蔽部材の下端が自重によって建物の床部に当接することになるので、スクリーン幕と床部との間に形成される隙間を遮蔽部材によって遮蔽することができることになる。従って、建物の内部空間をスクリーン幕によって火災側と非火災側とに区画し続けることができるので、火災側から非火災側への延焼や煙の拡散を確実に防止することができる。
【００１９】
また、遮蔽部材をスクリーン幕の全幅に亘る長さに形成することにより、建物の空間部の幅の大小に関わらず空間部を遮蔽することができるので、各種の建物の空間部に適用することができる。
【００２０】
さらに、一対の遮蔽部材をスクリーン幕の下端部の両側に互いに間隙をおいて設けたので、一方の遮蔽部材によって建物の内部空間の火災側又は非火災側を遮蔽でき、他方の遮蔽部材によって建物の内部空間の非火災側又は火災側を遮蔽でき、建物の内部空間の遮蔽効果を高めることができる。この場合、各遮蔽部材とスクリーン幕との間にそれぞれ間隙が介在することになり、この間隙によって断熱効果が得られることになるので、各遮蔽部材が火災時の燃焼熱や熱風によって変形するのを防止することができる。
【００２１】
さらに、各座板部材に設けた案内部材によって各遮蔽部材を直立姿勢に保つことができるので、各遮蔽部材の下端を確実に建物の床部に当接させることができ、スクリーン幕の下端と建物の床部との間に形成される隙間を各遮蔽部材によって確実に遮蔽することができる。
【発明を実施するための最良の形態】
【００２２】
以下、図面に示す本発明の実施の形態について説明する。
図１〜図６には、本発明による防火防煙区画用スクリーンシャッターの一実施の形態が示されていて、図１は防火防煙区画用スクリーンシャッターの全体を示す正面図、図２及び図３は図１のＡ部の拡大断面図、図４は図１のスクリーン幕の下端部の拡大断面図、図５は図１のスクリーン幕の下端部の分解図、図６は図５の座板部材と遮蔽部材との位置関係を示す説明図である。
【００２３】
すなわち、本実施の形態に示す防火防煙区画用スクリーンシャッター１は、火災の発生時に建物の内部空間５０を火災側５３と非火災側５４とに区画して、火災側５３から非火災側５４への延焼や煙の拡散を防止するのに適用されるものであって、建物の内部空間５０の天井部５１に設けられる繰り出し巻き取り手段２と、繰り出し巻き取り手段２に繰り出し巻き取り可能に巻回されるスクリーン幕６と、建物の天井部５１と床部５２とに間に設けられて、スクリーン幕６を繰り出し巻き取り可能に案内する案内部材７と、スクリーン幕６と案内部材７との間に設けられて、スクリーン幕６の下端が床部５２に当接した状態に固定するストッパー機構３５と、スクリーン幕６の下端部に設けられて、スクリーン幕６に繰り出し方向への張力を付与する錘体１０と、スクリーン幕６の下端部に設けられる遮蔽部材３０とを備えている。
【００２４】
繰り出し巻き取り手段２は、建物の内部空間５０の天井部５１の梁下や天井等に設けられるシャッターケース３、シャッターケース３内に回転自在に設けられるドラム４、ドラム４の両端を回転自在に支持する軸受５、ドラム４を回転不能状態にロックするロック機構（図示せず）、ロック機構によるドラム４のロック状態を解除するソレノイドバルブ（図示せず）等から構成されており、火災の発生時に、所定の信号によってソレノイドバルブを作動させてロック機構によるドラム４のロック状態を解除させることにより、ドラム４がスクリーン幕６を介して錘体１０の重量を受けて自由回転するように構成されている。
なお、繰り出し巻き取り手段２は、上記のようなタイプのものに限らず、周知の各種のタイプのものを使用することができる。
【００２５】
スクリーン幕６は、不燃性、耐火性、又は難燃性の素材からなる織布、不織布等から形成される可撓性を有するものであって、繰り出し巻き取り手段２のドラム４の周囲に繰り出し巻き取り可能に巻回されている。
【００２６】
スクリーン幕６の幅方向の両端部は、建物の内部空間５０の幅方向の両端部に垂直に設けられている案内部材である一対のガイドレール７、７内に挿入され、この一対のガイドレール７、７によってスクリーン幕６が上下方向に繰り出し巻き取り可能に案内されている。
【００２７】
スクリーン幕６の下端部には錘体１０が一体に設けられ、ロック機構によるドラム４のロック状態が解除されたときに、この錘体１０の重量によってスクリーン幕６に繰り出し方向への張力が付与され、これによりドラム４が自由回転してドラム４からスクリーン幕６が繰り出され、錘体１０の下端が建物の床部５２に当接する。
【００２８】
錘体１０は、スクリーン幕６の下端部を折り返して袋状に形成した部分に挿着される鋼製の芯部材１１と、芯部材１１を挟むようにスクリーン幕６の下端部の両側面に設けられる鋼製の座板部材１２とから構成され、スクリーン幕６を繰り出したときに、座板部材１２及び芯部材１１の下端が建物の床部５２に当接するように構成されている。
【００２９】
芯部材１１は、帯鋼等から形成される板状をなすものであって、スクリーン幕６の略全幅に亘る長さに形成され、両端がスクリーン幕６の幅方向の両端と略一致するように、スクリーン幕６の下端部の袋状の部分に挿着されている。
【００３０】
座板部材１２は、Ｃ形鋼等から形成される一側が開口する角パイプ状をなすものであって、スクリーン幕６の略全幅に亘る長さに形成され、両端がスクリーン幕６の幅方向の両端と略一致し、かつ一側の開口部がスクリーン幕６側に位置するように、スクリーン幕６の下端部の両側面にそれぞれ設けられている。なお、座板部材１２の長手方向の両端はそれぞれ閉塞されている。
【００３１】
両座板部材１２、１２と芯部材１１とは、それらの間にボルト２０を挿通させてナット２１で締め付けることによりスクリーン幕６の下端部に一体に連結され、これにより、各座板部材１２とスクリーン幕６のとの間にそれぞれ直方体状の空間である収納部２５が形成され、この収納部２５内に遮蔽部材３０がスクリーン幕６の繰り出し巻き取り方向に移動可能に収納されている。
【００３２】
各座板部材１２の底面１３には、スクリーン幕６側が開口する所定の長さ、幅の切欠部１４が形成され、この切欠部１４によって収納部２５の底部に上下方向に開口する開口部２６が設けられ、この開口部２６から遮蔽部材３０の一部が下方に突出可能に構成されている。各座板部材１２の底面１３の切欠部１４の長手方向の両端に臨む部分は遮蔽部材３０の両端を係止させる係止部１５に形成されている。
【００３３】
遮蔽部材３０は、帯鋼等から形成される板状をなすものであって、収納部２５の開口部２６から下方に突出して下端が建物の床部５２に当接可能な遮蔽部３１と、遮蔽部３１の両端に一体に設けられて、座板部材１２の係止部１５に係止される被係止部３２とから構成されている。
【００３４】
座板部材１２の底面１３の切欠部１４の縁部には、Ｌ形状の案内部材１６が少なくとも１箇所に設けられ、この案内部材１６とスクリーン幕６との間で遮蔽部材３０が直立姿勢に保たれ、この直立姿勢を保った状態で遮蔽部材３０が上下方向に移動可能となっている。この場合、遮蔽部材３０とスクリーン幕６との間には間隙３３が形成され、この間隙３３が空気層として機能することにより、スクリーン幕６に作用する火炎や熱風から遮蔽部材３０が断熱される。
【００３５】
なお、上記した座板部材１２の切欠部１４の長さは、次式で表される摂氏９００度における遮蔽部材３０の遮蔽部３１の長さＬＨｏｔに０〜４０ｍｍを加えた長さとするのが好ましい。
ＬＨｏｔ＝Ｌ＋（Ｌ×９００×β）
ここで、Ｌ：常温時の遮蔽部材３０の遮蔽部３１の長さ、ＬＨｏｔ：摂氏９００度時の遮蔽部材３０の遮蔽部３１の長さ、β：線膨張係数である。
このような長さに座板部材１２の切欠部１４及び遮蔽部材３０の遮蔽部３１を設定することにより、遮蔽部材３０を円滑にスクリーン幕６の繰り出し巻き取り方向に可動させることができる。
【００３６】
スクリーン幕６の芯部材１１の両端部とそれに対応する各ガイドレール７の下端部との間には、それぞれストッパー機構３５が設けられ、このストッパー機構３５によってスクリーン幕６の下端、すなわち錘体１０の下端が建物の床部５２に当接した状態に固定される。
【００３７】
ストッパー機構３５は、芯部材１１の両端部にそれぞれ設けられるガイドレール７側が開口するスリーブ３６と、各スリーブ３６内に圧縮スプリング３７を介して装着されるロックピン３８と、ガイドレール７の下端部にロックピン３８に対向するように設けられる係止板３９とから構成され、この係止板３９の下端にロックピン３８を係止させることにより、スクリーン幕６の下端が床部５２に当接した状態に固定される。
【００３８】
つまり、係止板３９のロックピン３８との対向面は、垂直方向を向く垂直面４０と垂直面４０の下端に連続するスクリーン幕６の方向に傾斜する傾斜面４１とからなり、スクリーン幕６を繰り出したときに、この垂直面４０及び傾斜面４１にロックピン３８の先端を当接させることにより、ロックピン３８が圧縮スプリング３７の付勢力に抗してスリーブ３６内に没入する方向に一旦移動し、係止板３９の下端を乗り越えた時点で圧縮スプリング３７の付勢力によってガイドレール７の方向に突出し、係止板３９の下端に係止され、スクリーン幕６の下端が床部５２に当接した状態に固定される。
【００３９】
次に、上記のように構成した本実施の形態による防火防煙区画用スクリーンシャッター１の作用について説明する。
まず、火災が発生すると、その信号によって繰り出し巻き取り手段２のソレノイドバルブが作動し、ロック機構によるドラム４のロック状態が解除され、錘体１０の重量によってスクリーン幕６を介してドラム４が自由回転し、ドラム４からスクリーン幕６が繰り出されてその下端（錘体１０の座板部材１２及び芯部材１１の下端）が建物の床部５２に当接し、建物の内部空間５０が火災側５３と被火災側５４とに区画される。この場合、錘体１０の座板部材１２の収納部２５内に収納されている遮蔽部材３０がスクリーン幕６から独立して下方に移動し、遮蔽部３１の下端が自重により床部５２に当接する。
【００４０】
そして、火災による燃焼熱がスクリーン幕６及び錘体１０に作用することにより、錘体１０の座板部材１２及び芯部材１１が熱膨張することになるが、錘体１０の両端は、芯部材１１とガイドレール７との間に設けられているストッパー機構３５によってガイドレール７側に固定されているので、座板部材１２及び芯部材１１は長手方向への変形が抑制されて上方向に湾曲変形することになる。そして、この座板部材１２及び芯部材１１の上方向への湾曲変形により、座板部材１２及び芯部材１１と床部５２との間に隙間が形成される。また、火災による熱風によってスクリーン幕６が煽られることによっても座板部材１２及び芯部材１１と床部５２との間に隙間が形成される。そして、これらの隙間を介して火災側５３の火炎や熱風が非火災側５４に浸入しようとするが、各座板部材１２の収納部２５に設けられている遮蔽部材３０の遮蔽部３１の下端が床部５２に当接しているので、この遮蔽部材３０の遮蔽部３１によって座板部材１２及び芯部材１１と床部５２との間に形成される隙間が遮蔽されることになる。
【００４１】
従って、火災による燃焼熱によって錘体１０の座板部材１２及び芯部材１１が熱膨張したり、熱風によってスクリーン幕６が煽られて、座板部材１２及び芯部材１１と床部５２との間に隙間が形成されても、その隙間を遮蔽部材３０によって遮蔽して、建物の内部空間５０を火災側５３と非火災側５４とに区画し続けることができるので、火災側５３から非火災側５４へ延焼したり、煙が拡散したりするのを防止できる。
【００４２】
また、遮蔽部材３０は、各座板部材１２の収納部２５内にそれぞれ設けられているので、一方の遮蔽部材３０によって建物の内部空間５０の火災側５３又は非火災側５４の隙間を遮蔽することができ、他方の遮蔽部材３０によって非火災側５４又は火災側５３の隙間を遮蔽することができので、火災側５３と非火災側５４とを確実に区画し続けることができる。この場合、各遮蔽部材３０とスクリーン幕６との間には間隙３３が形成され、この間隙３３が空気層として機能しているので、空気層による断熱効果が得られることになり、各遮蔽部材３０が火災時の燃焼熱や熱風によって変形するのを防止でき、各遮蔽部材３０による遮蔽機能を維持することができる。
【００４３】
さらに、スクリーン幕６の下端部の錘体１０と建物の床部５２との間に形成される隙間がスクリーン幕６の全幅、すなわち建物の内部空間５０の全開口幅に亘るものであっても、その隙間を遮蔽部材３０によって完全に遮蔽することができるので、内部空間５０の開口幅の大小に関わらず、内部空間５０を火災側５３と非火災側５４とに区画し続けることができる。
【００４４】
さらに、各座板部材１２に設けた案内部材１６によって各遮蔽部材３０を直立姿勢に保つことができるので、各遮蔽部材３０の下端を確実に建物の床部５２に当接させることができ、スクリーン幕６の下端と建物の床部５２との間に形成される隙間を各遮蔽部材３０によって確実に遮蔽することができる。
【図面の簡単な説明】
【００４５】
【図１】本発明による防火防煙区画用スクリーンシャッターの一実施の形態の全体を示した正面図である。
【図２】図１のＡ部の拡大断面図であって、ロックピンが係止板の傾斜面に当接した状態を示した説明図である。
【図３】図１のＡ部の拡大断面図であって、ロックピンが係止板の下端に係止された状態を示した説明図である。
【図４】図１のスクリーン幕の下端部の拡大断面図である。
【図５】図１のスクリーン幕の下端部の分解図である。
【図６】図５の座板部材と遮蔽部材との位置関係を示した説明図である。
【符号の説明】
【００４６】
１  防火防煙区画用スクリーンシャッター    ２  繰り出し巻き取り手段
３  シャッターケース                      ４  ドラム
５  軸受                                  ６  スクリーン幕
７  案内部材（ガイドレール）              １０  錘体
１１  芯部材                              １２  座板部材
１３  底面                                １４  切欠部
１５  係止部                              １６  案内部材
２０  ボルト                              ２１  ナット
２５  収納部                              ２６  開口部
３０  遮蔽部材                            ３１  遮蔽部
３２  被係止部                            ３３  間隙
３５  ストッパー機構                      ３６  スリーブ
３７  圧縮スプリング                      ３８  ロックピン
３９  係止板                              ４０  垂直面
４１  傾斜面                              ５０  内部空間
５１  天井部                              ５２  床部
５３  火災側                              ５４  非火災側
【図１】
2008228901.tif 000003
【図２】
2008228901.tif 000004
【図３】
2008228901.tif 000005
【図４】
2008228901.tif 000006
【図５】
2008228901.tif 000007
【図６】
2008228901.tif 000008